(57)【要約】【課題】    眠ってしまった赤ちゃんをマットに移す際、赤ちゃんを起こす事なく、だっこした腕を赤ちゃんの首の下から抜く事ができるマット、並びに、高さの変えられるクッションにより、赤ちゃんの喉への圧迫をなくし、楽な呼吸ができ、また、赤ちゃんの頭の形が悪くなることを防ぐ機能を備えたマットを提供する。【解決手段】  マット１に、手から肘までが入る大きさの穴３を開ける。その穴３に、高さ及び材質を変えた何種類かのクッションをはめ込む構造になっている。【選択図】  図２
2005028061.tif 000002
【特許請求の範囲】
【請求項１】
マットに赤ちゃんを寝かせる時、首がくる位置に手から肘までの大きさの穴を開け、赤ちゃんの首の下から、腕を抜く時に赤ちゃんを起こさずに、腕を抜けるマット。
【請求項２】
前期マットの穴に、高さ、材質、カバーの違うクッショシを入れる事により、赤ちゃんの頭の形を悪くしないマット。
【請求項３】
穴にはめるクッションの高さが調節できることにより、赤ちゃん個人個人に合った、楽な呼吸の軌道を確保することができるマット。
【請求項４】
クッションの高さが調節できる事により、夏場の首の裏にかく汗の対策になるマット。
【請求項５】
穴にはめるクッションにカバーを作り、洗濯できるようにしたマット。
【発明の詳細な説明】
【発明の詳細な説明】
【技術分野】
【０００１】  本発明は、赤ちゃん用の寝具マットに関するものである。
【背景技術】
【０００２】  従来の赤ちゃん用のマットは、一枚の大きな平らな物であった。
【発明が解決しようとする課題】
【０００３】  眠ってしまった赤ちゃんをマットに移す際、マットが平らだと、赤ちゃんに気づかれずに、だっこした腕を赤ちゃんの首の下から抜く事が困難であったため、どうしても赤ちゃんを起こしてしまう。
また、赤ちゃんを寝かせた時に、赤ちゃんの頭が、平らなマットや枕を使う事により、赤ちゃんの喉が圧迫され、呼吸が苦しくないか心配だった。
また、赤ちゃんの頭が、平らなマットにより、頭の形が絶壁になるなと、頭の形が悪くなってしまっていた。
そして、従来のマットは一つの大きな物だったため、特に不衛生的だった、首下部分だけの洗濯が無理だった。
【課題を解決するための手段】
【０００４】  上記の事を解決するために、赤ちゃんの首がくる部分に、手から肘までの大きさの穴を開ける。こうすることにより、だっこした状態の赤ちゃんをベットに寝かせ、そのまま、その穴から赤ちゃんに気づかれる事なく、手を抜く事ができる。  そして、手を抜いた後その穴に、赤ちゃんに合わせたそれぞれの高さ、材質のクッションをはめ込むことにより、首が上がり枕を使用する場合でも、呼吸を楽にする事ができる。また、首を上げた事により、絶壁になるなどの頭の形が悪くなる事を防ぐ。  そのクッションのカバーを作る事により、汗をかき、汚れる都度洗濯する事ができるので、常に衛生的である。
【発明を実施するための最良の形態】
【０００５】  以下、本発明の詳細を図に示した実施例に基づき説明する。図においてマット１に、赤ちゃんの首にあたる部分に手から肘までが入り、クッションが入るための穴３を開ける。赤ちゃんをマット１に寝かせる際、だっこした状態の赤ちゃんの首を支えている腕の方を穴３にはめ込む。その後、穴３から手を抜き、穴３に赤ちゃんに合ったクッション２を入れるのである。【０００６】  クッション２には、赤ちゃんの体型に合わせた高さのクッションを使用し、用途に合わせた材質を使用する
【発明の効果】
【０００７】  本発明は、上記のごとく構成されたものであるから、眠ってしまった赤ちゃんを起こすことなく、だっこした腕を赤ちゃんの首の下から抜くことができるのである。また、赤ちゃん個人個人にあったクッションが使用できるため、喉の圧迫がとれ、呼吸に対する心配がなくなり、頭の形が悪くなる事を防げる。
【０００８】  クッションのカバーの材質を変えられることにより、夏は通気性の良いものに、冬は暖かいものにしたりと、用途に合わせて変える事ができる。また、汗をかいたり汚れたりしたら、その都度洗濯が出来るので衛生的である。
【０００９】  また、本発明は、ベットでも床でも使用できるため、どこの家庭でも使用する事ができる。
【図面の簡単な説明】
【図１】マットの横から見た断面図である。
【図２】マットの上から見た図である。
【図３】本発明の実施例を示す上から見た図である。
【符号の説明】
１  マット
２  高さ及び材質を変えた何種類かのクッション
３  手から肘までが入る大きさの穴であり、クッションが入るための穴
【図１】
2005028061.tif 000003
【図２】
2005028061.tif 000004
【手続補正書】
【提出日】平成16年3月19日(2004.3.19)
【手続補正１】
【補正対象書類名】明細書
【補正対象項目名】全文
【補正方法】変更
【補正の内容】
【発明の詳細な説明】
【技術分野】
【０００１】  本発明は、赤ちゃん用の寝具マットに関するものである。
【背景技術】
【０００２】  従来の赤ちゃん用マットは、一枚の大きな平らな物であった。
【発明が解決しようとする課題】
【０００３】  眠ってしまった赤ちゃんをマットに移す際、マットが平らだと、赤ちゃんに気づかれずに、だっこした腕を赤ちゃんの首の下から抜く事が困難であったため、どうしても赤ちゃんを起こしてしまう。
また、赤ちゃんを寝かせた時に、赤ちゃんの頭が、平らなマットや枕を使う事により、赤ちゃんの喉が圧迫され、呼吸が苦しくないか心配だった。
また、赤ちゃんの頭が、平らなマットにより、頭の形が絶壁になるなど、頭の形が悪くなってしまっていた。
そして、従来のマットは一つの大きな物だったため、特に不衛生だった、首下部分だけの洗濯が無理だった。
【課題を解決するための手段】
【０００４】  上記の事を解決するために、赤ちゃんの首がくる部分に、手から肘までの大きさの穴を開ける。こうすることにより、だっこした状態の赤ちゃんをベットに寝かせ、そのまま、その穴から赤ちゃんに気づかれる事なく、手を抜く事ができる。そして、手を抜いた後にその穴に、赤ちゃんに合わせたそれぞれの高さ、材質のクッションをはめ込むことにより、首が上がり枕をしようする場合でも、呼吸を楽にする事ができる。また、首を上げた事により、絶壁になるなどの頭の形が悪くなることを防ぐ。そのクッションのカバーを作ることにより、汗をかき、汚れる都度洗濯することができるので、常に衛生的である。
【発明を実施するための最良の形態】
【０００５】  以下、本発明の詳細を図に示した実施例に基づき説明する。図においてマット１に、赤ちゃんの首にあたる部分に手から肘までが入り、クッションが入るための穴３を開ける。赤ちゃんをマット１に寝かせる際、だっこした状態の赤ちゃんの首を支えている腕の方を穴３にはめ込む。その際、穴３から手を抜き、穴３に赤ちゃんに合ったクッション２を入れるのである。【０００６】  クッション２には、赤ちゃんの体型に合わせた高さのクッションを使用し、用途に合わせて材質を使用する。
【発明の効果】
【０００７】  本発明は、上記のごとく構成されたものであるかた、眠ってしまった赤ちゃんを起こすことなく、だっこした腕を赤ちゃんの首の下から抜くことができるのである。また、赤ちゃん個人個人にあったクッションが使用できるため、喉の圧迫がとれ、呼吸に対する心配がなくなり、頭の形が悪くなる事を防げる。
【０００８】  クッションのカバーの材質を変えられることにより、夏は通気性の良いものに、冬は暖かいものにしたりと、用途に合わせて変える事ができる。また、汗をかいたり汚れたりしたら、その都度洗濯が出来るので衛生的である。
【０００９】  また、本発明は、ベットでも床でも使用できるため、どこの家庭でも使用する事ができる。
【図面の簡単な説明】
【００１０】
【図１】マットの横から見た断面図である。
【図２】マットの上から見た図である。
【符号の説明】
【００１１】    １  マット
２  高さ及び材質を変えた何種類かのクッション
３  手から肘までが入る大きさの穴であり、クッションが入るための穴